(57)【要約】      （修正有）【課題】表示輝度を向上させることができる、表示構造、及びスイッチ装置を提供する。【解決手段】第１の波長を含む光Ｌ１を発する第１発光ダイオード１１と、光Ｌ１のうち、第１の波長の光を透過する第１透過部１２とを有した第１光源部１０と、第１の波長を含む光Ｌ２を発する第２発光ダイオード２１と、光Ｌ２のうち、第２の波長の光を透過する第２透過部２２とを有した第２光源部２０と、第１の波長の光を透過させ、第２の波長の光の透過を抑制する第１遮光部と、第１の情報を提示するように、第２の波長の光を透過させる第１情報提示部とを有する第１提示部３０と、第２の波長の光を透過させ、第１の波長の光の透過を抑制する第２遮光部と、第２の情報を提示するように、第１の波長の光を透過させる第２情報提示部とを有する第２提示部４０と、を備えて表示構造１を構成する。【選択図】図１
2020004505.tif 000002
【特許請求の範囲】
【請求項１】
第１の波長を含む波長域を有する光を発する第１発光ダイオードと、前記第１発光ダイオードからの光のうち、第１の波長の光を透過する第１透過部とを有した第１光源部と、
第２の波長を含む波長域を有する光を発する第２発光ダイオードと、前記第２発光ダイオードからの光のうち、第２の波長の光を透過する第２透過部とを有した第２光源部と、
第１の情報を提示する第１提示部であって、前記第１の波長の光を透過させ、前記第２の波長の光の透過を抑制する第１遮光部と、前記第１の情報を提示するように、前記第２の波長の光を透過させる第１情報提示部とを有する第１提示部と、
第２の情報を提示する第２提示部であって、前記第２の波長の光を透過させ、前記第１の波長の光の透過を抑制する第２遮光部と、前記第２の情報を提示するように、前記第１の波長の光を透過させる第２情報提示部とを有する第２提示部と、
を備える、表示構造。
【請求項２】
前記第１発光ダイオードから第１透過部までの光路と、前記第２発光ダイオードから第２透過部までの光路とを分かつ遮光部を備える、請求項１に記載の表示構造。
【請求項３】
前記第１発光ダイオードの発光状態と、前記第２発光ダイオードの発光状態とを制御する制御部を備える、請求項１または請求項２に記載の表示構造。
【請求項４】
前記制御部は、
前記第１発光ダイオードを消灯、前記第２発光ダイオードを点灯することで、前記第１の情報を提示し、前記第１発光ダイオードを点灯、前記第２発光ダイオードを消灯することで、前記第２の情報を提示する、請求項３に記載の表示構造。
【請求項５】
前記第１の波長の光と前記第２の波長の光は、それぞれの光に含まれるスペクトル分布が非重複である、請求項１から４までのいずれか１項に記載の表示構造。
【請求項６】
前記第１の波長は青色の波長域であり、前記第２の波長は赤色の波長域である、請求項１から５までのいずれか１項に記載の表示構造。
【請求項７】
前記第１提示部は、シート状に形成された部材に、前記第１の波長の光を透過させ前記第２の波長の光の透過を抑制する第１材料が配置された第１配置部と、前記第１の情報に合わせて前記第１材料を非配置である第１非配置部とを備え、
前記第２提示部は、前記シート状に形成された部材に、前記第２の波長の光を透過させ前記第１の波長の光の透過を抑制する第２材料が配置された第２配置部と、前記第２の情報に合わせて前記第２材料を非配置である第２非配置部とを備える、
請求項１から６までのいずれか１項に記載の表示構造。
【請求項８】
請求項１から７までのいずれか１項に記載の表示構造と、
前記表示構造を有した操作ノブと、
を備える、スイッチ装置。
【発明の詳細な説明】
【技術分野】
【０００１】
本発明は、表示構造、及びスイッチ装置に関する。
【背景技術】
【０００２】
従来の技術として、第１光源の光（青色の光）と第２光源の光（赤色の光）を切り換えることで、表示内容を切り替えて表示する表示構造が開示されている（例えば、特許文献１参照）。
【０００３】
この先行技術に記載された表示構造は、透光性のあるシートに波長の異なる第１光源の光（青色の光）と第２光源の光（赤色の光）を切り換えて投光させ、第１表示と第２表示を行わせる表示構造であって、第１光源の波長のみを透過させる第１印刷部分と、第２光源の波長のみを透過させる第２印刷部分と、第１表示と第２表示の重複する部分には印刷を施さない構造とされている。
【先行技術文献】
【特許文献】
【０００４】
【特許文献１】特開２００５−２５７９３８号公報
【発明の概要】
【発明が解決しようとする課題】
【０００５】
先行技術に開示された技術においては、第１光源を青色ＬＥＤとし、第２光源を赤色ＬＥＤとしているため、表示の輝度が低いという課題がある。
【０００６】
したがって、本発明の目的は、表示構造において、表示輝度を向上させることができる、表示構造、及びスイッチ装置を提供することにある。
【課題を解決するための手段】
【０００７】
［１］上記目的を達成するため、第１の波長を含む波長域を有する光を発する第１発光ダイオードと、第１発光ダイオードからの光のうち、前記第１の波長の光を透過する第１透過部とを有した第１光源部と、第２の波長を含む波長域を有する光を発する第２発光ダイオードと、第２発光ダイオードからの光のうち、前記第２の波長の光を透過する第２透過部とを有した第２光源部と、第１の情報を提示する第１提示部であって、前記第１の波長の光を透過させ、前記第２の波長の光の透過を抑制する第１遮光部と、前記第１の情報を提示するように、前記第２の波長の光を透過させる第１情報提示部とを有する第１提示部と、第２の情報を提示する第２提示部であって、前記第２の波長の光を透過させ、前記第１の波長の光の透過を抑制する第２遮光部と、前記第２の情報を提示するように、前記第１の波長の光を透過させる第２情報提示部とを有する第２提示部と、を備える、表示構造を提供する。
［２］前記第１発光ダイオードから第１透過部までの光路と、前記第２発光ダイオードから第２透過部までの光路とを分かつ遮光部を備える、上記［１］に記載の表示構造であってもよい。
［３］また、前記第１発光ダイオードの発光状態と、前記第２発光ダイオードの発光状態とを制御する制御部を備える、上記［１］又は［２］に記載の表示構造であってもよい。
［４］また、前記第１の波長の光と前記第２の波長の光は、それぞれの光に含まれるスペクトル分布が非重複である、上記［１］から［３］のいずれか１に記載の表示構造であってもよい。
［５］また、前記第１の波長は青色の波長域であり、前記第２の波長は赤色の波長域である、上記［１］から［４］のいずれか１に記載の表示構造であってもよい。
［６］また、前記第１提示部は、シート状に形成された部材に、前記第１の波長の光を透過させ前記第２の波長の光の透過を抑制する第１材料が配置された第１配置部と、前記第１の情報に合わせて前記第１材料を非配置である第１非配置部とを備え、前記第２提示部は、前記シート状に形成された部材に、前記第２の波長の光を透過させ前記第１の波長の光の透過を抑制する第２材料が配置された第２配置部と、前記第２の情報に合わせて前記第２材料を非配置である第２非配置部とを備える、上記［１］から［５］のいずれか１に記載の表示構造であってもよい。
［７］また、上記［１］から［６］のいずれか１に記載の表示構造を備え、前記第１の情報を提示する場合に、前記第１光源部を消灯制御し、前記第２光源部を点灯制御し、前記第２の情報を提示する場合に、前記第１光源部を点灯制御し、前記第２光源部を消灯制御する、表示装置であってもよい。
［８］また、上記［１］から［６］のいずれか１に記載の表示構造、又は、上記［７］に記載の表示装置を備える、スイッチ装置であってもよい。
【発明の効果】
【０００８】
本発明の表示構造、表示装置、及びスイッチ装置によれば、表示構造において、表示輝度を向上させることができる。
【図面の簡単な説明】
【０００９】
【図１】図１（ａ）は、本発明の実施の形態に係る表示構造の概略構成を示す断面図、ブロック図であり、図１（ｂ）は、図１（ａ）においてＦ方向からみたときの表示の一例を示す情報提示図である。
【図２】図２は、表示部の構造を示す断面図である。
【図３】図３（ａ）は、本発明の実施の形態に係る表示構造における第１透過部としての青色フィルターの構成を示す断面図であり、図３（ｂ）は、本発明の実施の形態に係る表示構造における第２透過部としての赤色フィルターの構成を示す断面図であり、図３（ｃ）は、別の実施例を示す青色フィルターの断面図であり、図３（ｄ）は、別の実施例を示す赤色フィルターの断面図である。
【図４】図４は、本発明の実施の形態に係る表示構造において、第１の情報を提示する場合の動作を示す断面図である。
【図５】図５は、本発明の実施の形態に係る表示構造において、第２の情報を提示する場合の動作を示す断面図である。
【発明を実施するための形態】
【００１０】
（本発明の実施の形態に係る表示構造）
本発明の実施の形態に係る表示構造１は、図１、２、４、５に示すように、第１の波長を含む波長域を有する光Ｌ１を発する第１発光ダイオード１１と、第１発光ダイオード１１からの光Ｌ１のうち、第１の波長の光ＬＢを透過する第１透過部１２とを有した第１光源部１０と、第２の波長を含む波長域を有する光Ｌ２を発する第２発光ダイオード２１と、第２発光ダイオード２１からの光Ｌ２のうち、第２の波長の光ＬＲを透過する第２透過部２２とを有した第２光源部２０と、第１の情報を提示する第１提示部３０であって、第１の波長の光ＬＢを透過させ、第２の波長の光ＬＲの透過を抑制する第１遮光部と、第１の情報を提示するように、第２の波長の光ＬＲを透過させる第１情報提示部とを有する第１提示部３０と、第２の情報を提示する第２提示部４０であって、第２の波長の光ＬＲを透過させ、第１の波長の光ＬＢの透過を抑制する第２遮光部と、第２の情報を提示するように、第１の波長の光ＬＢを透過させる第２情報提示部とを有する第２提示部４０と、を備えて構成されている。
【００１１】
上記の表示構造１を備え、第１の情報を提示する場合に、第１光源部１０を消灯制御し、第２光源部２０を点灯制御し、第２の情報を提示する場合に、第１光源部１０を点灯制御し、第２光源部２０を消灯制御する、表示装置１００として構成することができる。
【００１２】
表示装置１００において、第１の情報は、第１光源部１０を消灯した状態で、第２光源部２０から得られる第２の波長の光ＬＲが第１提示部３０の第１非配置部３２を透過することにより提示される。すなわち、第１の情報は、第２の波長の光ＬＲの色により表示される。
【００１３】
また、第２の情報は、第２光源部２０を消灯した状態で、第１光源部１０から得られる第１の波長の光ＬＢが第２提示部４０の第２非配置部４２を透過することにより提示される。すなわち、第２の情報は、第１の波長の光ＬＢの色により表示される。
【００１４】
さらに、上記の表示構造１、又は表示装置１００を備える、スイッチ装置１１０として構成することができる。以下では、このスイッチ装置１１０の構成に基づいて、表示構造１、表示装置１００、及びスイッチ装置１１０の説明を行なう。
【００１５】
（表示部３）
表示部３は、図１に示すように、ホルダ６０に支持、固定されて、第１光源部１０、又は第２光源部２０からの光により所定の情報を提示する。具体的には、図２に示すように、基材としての透明フイルム３７に、第１提示部３０としての青インク層、第２提示部４０としての赤インク層が形成されている。また、図２に示すように、透明フイルム３７の光の出射側の表面には、光の拡散層３８を形成してもよい。
【００１６】
表示部３を支持するホルダ６０は、図１に示すように、筒状のケース７０の内周部７１にスライド可能に嵌合している。ケース７０は、底ケース７５に固定されている。ホルダ６０は、図１に示すように、ホルダ下面６１と底ケース７５との間に設けられたバネ８０により、自重、及び押圧力Ｆに抗する弾性力が付与されている。
【００１７】
図１に示すように、ホルダ６０の上部には、枠部６を介して、操作部５が取り付けられている。操作部５は、例えば、黒スモークの樹脂で形成され、表示部３による表示を行なうことができる。操作部５は、遮光樹脂で形成された枠部６で支持され、表示部３の所定範囲、すなわち、図１（ｂ）に示すように、表示部３による必要領域を表示範囲とすることができる。
【００１８】
なお、上記説明した、枠部６、ホルダ６０、ケース７０、底ケース７５は、例えば、遮光性を有する樹脂で形成することが好ましい。
【００１９】
操作部５は、図１に示すように、表面５ａを指等により、Ｆ方向に押圧操作することができる。操作部５の押圧操作により、バネ８０の弾性力に抗して、操作部５、ホルダ６０、遮光部５０は一体的に、図１の下方向に移動できる構成とされている。これにより、ホルダ６０の中央部に設けられた遮光部５０の下端部５０ａでスイッチ９２をオンオフ操作することができ、オンオフ信号Ｓofを出力するスイッチ装置として機能することができる。すなわち、表示構造１を有した操作部５を操作ノブとして備えるスイッチ装置１１０として機能することができる。
【００２０】
遮光部５０は、図１に示すように、第１発光ダイオード１１から第１透過部１２までの光路と、第２発光ダイオード２１から第２透過部２２までの光路とを分かつ機能を有する。遮光部５０は、例えば、遮光性を有する樹脂で形成することが好ましい。
【００２１】
また、操作部５の表面５ａは、表示部３による所定の表示が、操作者等に視認できるように機能する。したがって、図１に示す構成は、表示構造１、表示装置１００として機能し、また、表示構造、表示装置を備えたスイッチ装置１１０として機能することができる。
【００２２】
（第１光源部１０）
第１光源部１０は、例えば、第１の波長を含む波長域を有する光を発する高輝度ＬＥＤである第１発光ダイオード１１と、第１発光ダイオード１１からの光Ｌ１のうち、第１の波長の光ＬＢを透過する第１透過部１２とを有して構成されている。第１光源部１０は、例えば、白色の波長域を含む高輝度の発光ダイオードを用いることができる。第１発光ダイオード１１は、第１の波長の光ＬＢの波長域を含む。第１の波長の光ＬＢの波長域は、例えば、青色の波長域である。
【００２３】
第１透過部１２は、第１発光ダイオード１１から出射された第１の波長を含む波長域を有する光Ｌ１の中で、第１の波長の光ＬＢを透過させるフィルターとして機能する。第１透過部１２は、図３（ａ）に示すように、透明な基材１２ａに青インク層１２ｂが塗布等により形成されたものである。また、別の実施例として、第１透過部１２は、図３（ｃ）に示すように、青色の基材、又は青色フイルムであってもよい。
【００２４】
（第２光源部２０）
第２光源部２０は、例えば、第２の波長を含む波長域を有する光を発する高輝度ＬＥＤである第２発光ダイオード２１と、第２発光ダイオード２１からの光Ｌ２のうち、第２の波長の光ＬＲを透過する第２透過部２２とを有して構成されている。第２光源部２０は、例えば、白色の波長域を含む高輝度の発光ダイオードを用いることができる。第２発光ダイオード２１は、第２の波長の光ＬＲの波長域を含む。第２の波長の光ＬＲの波長域は、例えば、赤色の波長域である。
【００２５】
第２透過部２２は、第２発光ダイオード２１から出射された第２の波長を含む波長域を有する光Ｌ２の中で、第２の波長の光ＬＲを透過させるフィルターとして機能する。第２透過部２２は、図３（ｂ）に示すように、透明な基材２２ａに赤インク層２２ｂが塗布等により形成されたものである。また、別の実施例として、第２透過部２２は、図３（ｄ）に示すように、赤色の基材、又は赤色フイルムであってもよい。
【００２６】
第１の波長の光ＬＢである青色の光と第２の波長の光ＬＲである赤色の光は、それぞれの光に含まれるスペクトル分布が非重複である。これにより、後述するように、第１の情報の提示と第２の情報の提示を切り替えて表示することができる。
【００２７】
（第１提示部３０）
第１提示部３０は、図２に示すように、基材としての透明フイルム３７上に、第１提示部３０としての青インク層が形成されて構成されている。具体的には、図４（ｂ）に示すように、第１提示部３０は、シート状に形成された部材である透明フイルム３７に、第１の波長の光ＬＢ（青色）を透過させ第２の波長の光ＬＲ（赤色）の透過を抑制する第１材料としての青インク層が配置された第１遮光部としての第１配置部３１と、第１の情報に合わせて第１材料としての青インク層を非配置である第１情報提示部としての第１非配置部３２とを備えて構成されている。
【００２８】
第１提示部３０により提示される第１の情報は、第１非配置部３２の輪郭３５とその内部で構成されるマーク、文字、数字等の情報であり、本実施の形態では、図４（ｂ）に示すような、上向きの矢印である。
【００２９】
（第２提示部４０）
第２提示部４０は、図２に示すように、基材としての透明フイルム３７上に形成された第１提示部３０としての青インク層に、さらに第２提示部４０としての赤インク層が形成されて構成されている。なお、この青インク層、赤インク層の順番は任意であり、図２において、上側が第２提示部４０としての赤インク層、下側が第１提示部３０としての青インク層であってもよい。
【００３０】
具体的には、図５（ｂ）に示すように、第２提示部４０は、シート状に形成された部材である透明フイルム３７に、第２の波長の光ＬＲ（赤色）を透過させ第１の波長の光ＬＢ（青色）の透過を抑制する第２材料としての赤インク層が配置された第２遮光部としての第２配置部４１と、第２の情報に合わせて第２材料としての赤インク層を非配置である第２情報提示部としての第２非配置部４２とを備えて構成されている。
【００３１】
第２提示部４０により提示される第２の情報は、第２非配置部４２の輪郭４５とその内部で構成されるマーク、文字、数字等の情報であり、本実施の形態では、図５（ｂ）に示すような、右向きの矢印である。
【００３２】
（表示構造１、表示装置１００の表示動作）
表示装置１００は、図１に示すように、第１発光ダイオード１１、第２発光ダイオード２１の点灯制御、消灯制御を行なうための制御部９０を備えている。制御部９０は、第１発光ダイオード１１、第２発光ダイオード２１と接続されている。また、制御部９０は、第１発光ダイオード１１、第２発光ダイオード２１を点灯、消灯制御する制御信号Ｓｃが入力される。なお、スイッチ装置１１０として動作する場合は、制御信号Ｓｃと前述のオンオフ信号Ｓofとにより、点灯、消灯制御が実行される。
【００３３】
（制御部９０）
制御部９０は、制御信号Ｓｃ、オンオフ信号Ｓof等により、第１発光ダイオード１１、第２発光ダイオード２１を点灯、消灯制御するように構成されている。制御部９０は、所定の処理等を実行するために、記憶されたプログラムに従って演算、動作を行うＣＰＵ（Central Processing Unit）、半導体メモリであるＲＡＭ（Random Access Memory）及び記憶部としてのＲＯＭ（Read Only Memory）などから構成されるマイクロコンピュータを備えている。また、第１発光ダイオード１１、第２発光ダイオード２１を電流駆動するための駆動部を備えることができる。
【００３４】
（第１の情報の提示動作）
制御部９０は、制御信号Ｓｃにより、第１発光ダイオード１１を消灯させ、第２発光ダイオード２１を点灯させる制御を行なう。
【００３５】
図４（ａ）に示すように、第２発光ダイオード２１から出射された第２の波長を含む波長域を有する光Ｌ２は、第２透過部２２により第２の波長の光ＬＲ（赤色の光）だけが透過する。
【００３６】
この第２の波長の光ＬＲ（赤色の光）は、第２提示部４０をすべて透過する。
【００３７】
第２提示部４０をすべて透過した第２の波長の光ＬＲ（赤色の光）は、第１提示部３０の第１非配置部３２を透過する。しかし、第２の波長の光ＬＲ（赤色の光）は、青インク層が配置された第１配置部３１は透過しない。
【００３８】
これにより、第１提示部３０において、第１非配置部３２の輪郭３５とその内部で構成されるマーク、文字、数字等の第１の情報が、第２の波長の光ＬＲ（赤色の光）で提示（表示）される。すなわち、図４（ｂ）に示すように、上向きの矢印が、表示部３により、操作部５を通して赤色で表示される。
【００３９】
（第２の情報の提示動作）
制御部９０は、制御信号Ｓｃにより、第１発光ダイオード１１を点灯させ、第２発光ダイオード２１を消灯させる制御を行なう。
【００４０】
図５（ａ）に示すように、第１発光ダイオード１１から出射された第１の波長を含む波長域を有する光Ｌ１は、第１透過部１２により第１の波長の光ＬＢ（青色の光）だけが透過する。
【００４１】
第１の波長の光ＬＢ（青色の光）は、第２提示部４０の第２非配置部４２を透過する。しかし、第１の波長の光ＬＢ（青色の光）は、赤インク層が配置された第２配置部４１は透過しない。
【００４２】
第２提示部４０の第２非配置部４２を透過した第１の波長の光ＬＢ（青色の光）は、第１提示部３０をすべて透過する。
【００４３】
これにより、第２提示部４０において、第２非配置部４２の輪郭４５とその内部で構成されるマーク、文字、数字等の第２の情報が、第１の波長の光ＬＢ（青色の光）で提示（表示）される。すなわち、図５（ｂ）に示すように、右向きの矢印が、表示部３により、操作部５を通して青色で表示される。
【００４４】
（非表示制御）
制御部９０は、制御信号Ｓｃにより、第１発光ダイオード１１を消灯させ、第２発光ダイオード２１を消灯させる制御を行なう。これにより、第１の情報の提示、第２の情報の提示は行なわれない。前記したように、操作部５は、例えば、黒スモークの樹脂で形成されているので、表示部３による表示による表示は行なわれず、操作部５はブラックアウトの状態となる。
【００４５】
（実施の形態の効果）
本発明の実施の形態によれば、以下のような効果を有する。
（１）本発明の実施の形態に係る表示構造１は、図１、２、４、５に示すように、第１の波長を含む波長域を有する光Ｌ１を発する第１発光ダイオード１１と、第１発光ダイオード１１からの光Ｌ１のうち、第１の波長の光ＬＢを透過する第１透過部１２とを有した第１光源部１０と、第１の波長を含む波長域を有する光Ｌ２を発する第２発光ダイオード２１と、第２発光ダイオード２１からの光Ｌ２のうち、第２の波長の光ＬＲを透過する第２透過部２２とを有した第２光源部２０と、第１の情報を提示する第１提示部３０であって、第１の波長の光ＬＢを透過させ、第２の波長の光ＬＲの透過を抑制する第１遮光部と、第１の情報を提示するように、第２の波長の光ＬＲを透過させる第１情報提示部とを有する第１提示部３０と、第２の情報を提示する第２提示部４０であって、第２の波長の光ＬＲを透過させ、第１の波長の光ＬＢの透過を抑制する第２遮光部と、第２の情報を提示するように、第１の波長の光ＬＢを透過させる第２情報提示部とを有する第２提示部４０と、を備えて構成されている。第１光源部１０は、例えば、第１の波長を含む波長域を有する光を発する高輝度ＬＥＤである第１発光ダイオード１１、第２光源部２０は、例えば、第１の波長を含む波長域を有する光を発する高輝度ＬＥＤである第２発光ダイオード２１を使用するので、高輝度に対応した表示切替構造が可能になる。
（２）第１の波長を含む波長域を有する光を発する高輝度ＬＥＤを使用することで、従来構造と比較して、情報提示、情報表示の輝度向上が可能となる。また、光源部の発熱量の低下やコスト低減、省スペース化が可能となる。
（３）上記の表示構造１を備えることにより、表示装置１００を構成することができる。
（４）また、表示構造１、又は表示装置１００を備えるスイッチ装置１１０を構成することができる。スイッチ装置１１０において、操作部５を押圧操作することにより、スイッチのオンオフ動作を行なうことができる。制御部９０は、このオンオフ動作により出力されるオンオフ信号Ｓofに基づいて、表示された第１の情報、又は第２の情報に対応した処理を実行させることができる。
【００４６】
以上、本発明のいくつかの実施の形態を説明したが、これらの実施の形態は、一例に過ぎず、特許請求の範囲に係る発明を限定するものではない。また、これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００４７】
１…表示構造、３…表示部、５…操作部、５ａ…表面、６…枠部、１０…第１光源部、１１…第１発光ダイオード、１２…第１透過部、１２ａ…基材、１２ｂ…青インク層、２０…第２光源部、２１…第２発光ダイオード、２２…第２透過部、２２ａ…基材、２２ｂ…赤インク層、３０…第１提示部、３１…第１配置部、３２…第１非配置部、３５…輪郭、３７…透明フイルム、３８…拡散層、４０…第２提示部、４１…第２配置部、４２…第２非配置部、４５…輪郭、５０…遮光部、５０ａ…下端部、６０…ホルダ、６１…ホルダ下面、７０…ケース、７１…内周部、７５…底ケース、８０…バネ、９０…制御部、９２…スイッチ、１００…表示装置、１１０…スイッチ装置、Ｌ１…第１の波長を含む波長域を有する光、Ｌ２…第２の波長を含む波長域を有する光、ＬＢ…第１の波長の光、ＬＲ…第２の波長の光、Ｓｃ…制御信号、Ｓof…オンオフ信号
【図１】
2020004505.tif 000003
【図２】
2020004505.tif 000004
【図３】
2020004505.tif 000005
【図４】
2020004505.tif 000006
【図５】
2020004505.tif 000007